(57)【要約】【課題】表示部分の耐久性に優れた表示機能付きＩＣカードを提供する。【解決手段】表示シート１０のＩＤタグ１６に書き込み方式を含む情報を予め記憶しておき、表示シート１０に画像を書き込む際に、タグリーダ４２で記憶した情報を読み取り、制御装置４８で読み取った情報から書き込み方式を判断し、装置の書き込み方式と異なる書き込み方式の表示シート１０の場合は、画像の書き込みを禁止する。これにより、異なる書き込み方式の表示シートが誤って使用されても、表示シート１０を破損させることがない。【選択図】        図１
2005018348.tif 000002
【特許請求の範囲】
【請求項１】
メモリ性を有するシート状の画像表示媒体と、
前記画像表示媒体の一方の側に配置される第１のシート状部材と、
前記画像表示媒体の他方の側に配置され、前記第１のシート状部材との間で前記画像表示媒体を挟持する第２のシート状部材と、
前記画像表示媒体に接するように設けられ、前記画像表示媒体内部へ進入する水蒸気を阻止する水蒸気進入防止膜と、
を有することを特徴とする表示機能付きカード。
【請求項２】
メモリ性を有するシート状の画像表示媒体と、
前記画像表示媒体の一方の側に配置される第１のシート状部材と、
前記画像表示媒体の他方の側に配置され前記第１のシート状部材との間で前記画像表示媒体を挟持する第２のシート状部材と、
前記画像表示媒体を覆うように設けられ、前記画像表示媒体へ照射される紫外線を阻止する紫外線進入防止膜と、
を有することを特徴とする表示機能付きカード。
【請求項３】
メモリ性を有するシート状の画像表示媒体と、
前記画像表示媒体の一方の側に配置される第１のシート状部材と、
前記画像表示媒体の他方の側に配置され、前記第１のシート状部材との間で前記画像表示媒体を挟持する第２のシート状部材と、
前記画像表示媒体に接するように設けられ、前記画像表示媒体内部へ進入する水蒸気を阻止する水蒸気進入防止膜と、
前記画像表示媒体を覆うように設けられ、前記画像表示媒体へ照射される紫外線を阻止する紫外線進入防止膜と、
を有することを特徴とする表示機能付きカード。
【請求項４】
メモリ性を有するシート状の画像表示媒体と、
前記画像表示媒体の一方の側に配置される第１のシート状部材と、
前記画像表示媒体の他方の側に配置され前記第１のシート状部材との間で前記画像表示媒体を挟持する第２のシート状部材と、
前記第１のシート状部材、及び前記第２のシート状部材の少なくとも一方は、紫外線を吸収する性質を有する材料から形成されている、
を有することを特徴とする表示機能付きカード。
【請求項５】
メモリ性を有するシート状の画像表示媒体と、
前記画像表示媒体の一方の側に配置される第１のシート状部材と、
前記画像表示媒体の他方の側に配置され、前記第１のシート状部材との間で前記画像表示媒体を挟持する第２のシート状部材と、
前記画像表示媒体に接するように設けられ、前記画像表示媒体内部へ進入する水蒸気を阻止する水蒸気進入防止膜と、
を備え、
前記第１のシート状部材、及び前記第２のシート状部材の少なくとも一方は、紫外線を吸収する性質を有する材料から形成されている、
を有することを特徴とする表示機能付きカード。
【請求項６】
メモリ性を有するシート状の画像表示媒体と、
前記画像表示媒体の一方の側に配置される第１のシート状部材と、
前記画像表示媒体の他方の側に配置され前記第１のシート状部材との間で前記画像表示媒体を挟持する第２のシート状部材と、
を備え、
前記第１のシート状部材と前記第２のシート状部材との間に、前記画像表示媒体の外周に外気と孤立した隙間を設けるように前記画像表示媒体を配置し、前記隙間に水分を吸収する乾燥剤を配置した、ことを特徴とする表示機能付きカード。
【請求項７】
前記第１のシート状部材と前記第２のシート状部材との間に、前記画像表示媒体の外周に外気と孤立した隙間を設けるように前記画像表示媒体を配置し、前記隙間に水分を吸収する乾燥剤を配置した、ことを特徴とする請求項２または請求項４に記載の表示機能付きカード。
【請求項８】
請求項１乃至請求項６の何れか１項に記載の表示機能付きカードと、
前記第１のシート状部材と前記第２のシート状部材との間に配置され、少なくとも情報を記憶可能なＩＣと、
を有することを特徴とする表示機能付きＩＣカード。
【発明の詳細な説明】
【０００１】
【発明の属する技術分野】
本発明は、表示機能付きカード、及び表示機能付きＩＣカードに係り、特に、表示部分の耐久性に優れた表示機能付きカード、及び表示機能付きＩＣカードに関する。
【０００２】
【従来の技術】
非接触式ＩＣカードに代表されるカード類は定期券、運転免許証、キャッシュカード、クレジットカード等の代替品として大きな需要が見込まれている。
【０００３】
さらに今後はＩＣカードにも表示機能が求められてきている。
【０００４】
また、近年、電子的に画像の記録が可能で且つ記録した画像を一定期間保持することができる記録・表示媒体が種々開発されている。これらの記録・表示媒体は紙のように薄型であることから「電子ペーパー」と呼ばれている。
【０００５】
例えば、光書き込み型の電子ペーパーは、複写機に使用されている有機光導電材料からなる光導電層と液晶表示材料からなる液晶層とが積層されて構成されており、表裏１対の透明電極に電圧を印加しながら光を照射すると、光の強弱が瞬間的に反射濃度に変換されて画像が記録され表示される。
【０００６】
近年、コレステリック液晶を用いた電子ペーパーをＩＣカードの筐体に埋めこんで、その記憶性の特性を生かしてＩＣカードに表示機能を受け持たせようという要求が出始めている。
【０００７】
ところで、表示体であるコレステリック液晶を用いた電子ペーパーは水蒸気の侵入により、表示特性の劣化や電子ペーパー内部のショートや表示書き換え不能になる問題点がある。
【０００８】
また、これまでのＩＣカードは、表面がＰＥＴ基材で構成されているため、その基材が撥水機能を有しており、内部のＩＣも封止されていることからとりわけＩＣカードとして水に対する対策を有していなかった。
【０００９】
通常、液晶を使用した電子ペーパーの基材の表面あるいは内部に水蒸気の侵入を防ぐ目的で水蒸気バリア膜を設ける場合が多いが、そのことにより表面からの湿度に対するバリア性は確保できるものの、電子ペーパーの上下基板の端面はむき出しのままであることから、上下基板の端面からの水蒸気の侵入はこれだけでは押さえること出来ず、端面からの水蒸気の侵入に対しては、表示域外から基板端面までの距離を離すなどの対策を取ることにより、表示域への水蒸気の影響が到達しないように対策を行なってきた。
【００１０】
しかし、この方法によれば、端面から表示域までの距離を離すためには表示域に対して空白の部分が多くなり、その分外形サイズが大きくなる欠点があった。
【００１１】
そのため、ＩＣカードのように外形サイズが規格で決まっているものの中に表示体である電子ペーパーを埋め込む場合、表示域に対して外形が大きくなるために、ＩＣカードの表示が小さくなるという欠点があった。
【００１２】
通常ＩＣカードの作製方法としてはカードの下基材に電子ペーパー等の表示体と信号の通信を受け持つＲＦＩＤタグとＩＣを配置しその後周辺サイドのスペーサを介して上基板を重ねていく方法であるが、この方法によって作製した場合、表示体である電子ペーパーのサイドはＩＣカードを構成する筐体部材の重ね合わせにあたり、水蒸気の侵入が容易である。
【００１３】
したがって、従来のＩＣカードと、水分に弱いコレステリック液晶等を用いた電子ペーパーとを組み合わせた場合、電子ペーパーが上述した不具合を発生する虞がある。
【００１４】
なお、カード類の先行例としては、基材と磁気表示部との一体化による製造工程の簡略化する方法（例えば、特許文献１参照）、や磁気可視記録部の破損防止が可能な方法の提案（例えば、特許文献２参照）があったが、破損防止のほかに水蒸気に対する密閉性を高める目的で構造を提案するものは無かった。
【００１５】
【特許文献１】
特開平１１−３４８４６８号公報
【特許文献２】
特開２０００−３１１２３０号公報
【００１６】
【発明が解決しようとする課題】
本発明は、上記問題を解決すべく成されたものであり、本発明の目的は、表示部分の耐久性に優れた表示機能付きカード、及び表示機能付きＩＣカードを提供することにある。
【００１７】
【課題を解決するための手段】
請求項１に記載の表示機能付きカードは、メモリ性を有するシート状の画像表示媒体と、前記画像表示媒体の一方の側に配置される第１のシート状部材と、前記画像表示媒体の他方の側に配置され、前記第１のシート状部材との間で前記画像表示媒体を挟持する第２のシート状部材と、前記画像表示媒体に接するように設けられ、前記画像表示媒体内部へ進入する水蒸気を阻止する水蒸気進入防止膜と、を有することを特徴としている。
【００１８】
次に、請求項１に記載の表示付きカードの作用を説明する。
【００１９】
請求項１に記載の表示付きカードでは、画像表示媒体がメモリ性を有しているので、画像表示媒体に画像を記憶させることが出来る。
【００２０】
また、メモリ性を有するシート状の画像表示媒体が第１のシート状部材と第２のシート状部材との間に挟持されるので、水が画像表示媒体に直接接触することは防止される。
【００２１】
ここで、第１のシート状部材と第２のシート状部材とを粘着層等で貼り合わせる場合、粘着層等を水蒸気が通過して画像表示媒体へ至り、画像表示媒体が水蒸気により劣化する虞がある。
【００２２】
請求項１に記載の表示付きカードでは、水蒸気進入防止膜が画像表示媒体内部へ進入する水蒸気を阻止するので、水分による画像表示媒体の劣化を防止することが出来る。
【００２３】
請求項２に記載の表示機能付きカードは、メモリ性を有するシート状の画像表示媒体と、前記画像表示媒体の一方の側に配置される第１のシート状部材と、前記画像表示媒体の他方の側に配置され前記第１のシート状部材との間で前記画像表示媒体を挟持する第２のシート状部材と、前記画像表示媒体を覆うように設けられ、前記画像表示媒体へ照射される紫外線を阻止する紫外線進入防止膜と、を有することを特徴としている。
【００２４】
次に、請求項２に記載の表示付きカードの作用を説明する。
【００２５】
請求項２に記載の表示付きカードでは、メモリ性を有するシート状の画像表示媒体が第１のシート状部材と第２のシート状部材との間に挟持されるが、第１のシート状部材及び第２のシート状部材の少なくとも一方を太陽光、照明等に含まれる紫外線が透過し、透過した紫外線が画像表示媒体に照射されて画像表示媒体が劣化する虞がある。
【００２６】
請求項２に記載の表示付きカードでは、紫外線進入防止膜が画像表示媒体へ照射される紫外線を阻止するので、紫外線による画像表示媒体の劣化を防止することが出来る。
【００２７】
請求項３に記載の表示機能付きカードは、メモリ性を有するシート状の画像表示媒体と、前記画像表示媒体の一方の側に配置される第１のシート状部材と、前記画像表示媒体の他方の側に配置され、前記第１のシート状部材との間で前記画像表示媒体を挟持する第２のシート状部材と、前記画像表示媒体に接するように設けられ、前記画像表示媒体内部へ進入する水蒸気を阻止する水蒸気進入防止膜と、前記画像表示媒体を覆うように設けられ、前記画像表示媒体へ照射される紫外線を阻止する紫外線進入防止膜と、を有することを特徴としている。
【００２８】
次に、請求項３に記載の表示機能付きカードの作用を説明する。
【００２９】
請求項３に記載の表示付きカードでは、水蒸気進入防止膜が画像表示媒体内部へ進入する水蒸気を阻止するので、水分による画像表示媒体の劣化を防止することが出来る。
【００３０】
また、紫外線進入防止膜が画像表示媒体へ照射される紫外線を阻止するので、紫外線による画像表示媒体の劣化を防止することが出来る。
【００３１】
請求項４に記載の表示機能付きカードは、メモリ性を有するシート状の画像表示媒体と、前記画像表示媒体の一方の側に配置される第１のシート状部材と、前記画像表示媒体の他方の側に配置され前記第１のシート状部材との間で前記画像表示媒体を挟持する第２のシート状部材と、前記第１のシート状部材、及び前記第２のシート状部材の少なくとも一方は、紫外線を吸収する性質を有する材料から形成されている、を有することを特徴としている。
【００３２】
次に、請求項４に記載の表示付きカードの作用を説明する。
【００３３】
請求項４に記載の表示付きカードでは、紫外線を吸収する性質を有した第１のシート状部材、及び第２のシート状部材の少なくとも一方が、画像表示媒体へ照射される紫外線を阻止するので、紫外線による画像表示媒体の劣化を防止することが出来る。
【００３４】
請求項５に記載の表示機能付きカードは、メモリ性を有するシート状の画像表示媒体と、前記画像表示媒体の一方の側に配置される第１のシート状部材と、前記画像表示媒体の他方の側に配置され、前記第１のシート状部材との間で前記画像表示媒体を挟持する第２のシート状部材と、前記画像表示媒体に接するように設けられ、前記画像表示媒体内部へ進入する水蒸気を阻止する水蒸気進入防止膜と、を備え、前記第１のシート状部材、及び前記第２のシート状部材の少なくとも一方は、紫外線を吸収する性質を有する材料から形成されている、を有することを特徴としている。
【００３５】
請求項５に記載の表示付きカードでは、水蒸気進入防止膜が画像表示媒体内部へ進入する水蒸気を阻止するので、水分による画像表示媒体の劣化を防止することが出来る。
【００３６】
また、紫外線を吸収する性質を有した第１のシート状部材、及び第２のシート状部材の少なくとも一方が、画像表示媒体へ照射される紫外線を阻止するので、紫外線による画像表示媒体の劣化を防止することが出来る。
【００３７】
請求項６に記載の表示機能付きカードは、メモリ性を有するシート状の画像表示媒体と、前記画像表示媒体の一方の側に配置される第１のシート状部材と、前記画像表示媒体の他方の側に配置され前記第１のシート状部材との間で前記画像表示媒体を挟持する第２のシート状部材と、を備え、前記第１のシート状部材と前記第２のシート状部材との間に、前記画像表示媒体の外周に外気と孤立した隙間を設けるように前記画像表示媒体を配置し、前記隙間に水分を吸収する乾燥剤を配置した、ことを特徴としている。
【００３８】
次に、請求項６に記載の表示付きカードの作用を説明する。
【００３９】
第１のシート状部材と第２のシート状部材とを粘着層等で貼り合わせる場合、粘着層等を水蒸気が通過してカード内へ至る場合が考えられるが、請求項１に記載の表示付きカードでは、乾燥剤がカード内の隙間部分で水分を吸収するので、水分による画像表示媒体の劣化を防止することが出来る。
【００４０】
請求項７に記載の発明は、請求項２または請求項４に記載の表示機能付きカードにおいて、前記第１のシート状部材と前記第２のシート状部材との間に、前記画像表示媒体の外周に外気と孤立した隙間を設けるように前記画像表示媒体を配置し、前記隙間に水分を吸収する乾燥剤を配置した、ことを特徴とする。
【００４１】
請求項７に記載の表示付きカードでは、乾燥剤がカード内の隙間部分で水分を吸収するので、水分による画像表示媒体の劣化を防止することが出来る。
【００４２】
請求項８に記載の表示機能付きＩＣカードは、請求項１乃至請求項６の何れか１項に記載の表示機能付きカードと、前記第１のシート状部材と前記第２のシート状部材との間に配置され、少なくとも情報を記憶可能なＩＣと、を有することを特徴としている。
【００４３】
次に、請求項８に記載の表示付きカードの作用を説明する。
【００４４】
請求項８に記載の表示付きカードでは、乾燥剤がカード内の隙間部分で水分を吸収するので、水分による画像表示媒体の劣化を防止することが出来る。
【００４５】
次に、請求項８に記載の表示付きカードの作用を説明する。
【００４６】
請求項８に記載の表示付きカードでは、ＩＣに情報を記憶することができる。
【００４７】
【発明の実施の形態】
［第１の実施形態］
本発明の表示機能付きＩＣカードの第１の実施形態を図１乃至図４にしたがって説明する。
図１、及び図４に示すように、ＩＣカード１０は、画像を表示する光書き込み型の電子ペーパー１２と、固有の個体認識番号等を記憶するＩＤタグ１４と、及びこれら電子ペーパー１２及びＩＤタグ１４を収容するカード本体１６とを含んで構成されている。
【００４８】
ＩＤタグ１４は、基板１８上にＩＣチップ２０とコイルアンテナ２２を備えている。
（電子ペーパの構造）
電子ペーパー１２は、画像に応じたパターンの光を照射しながら所定電圧を印加することにより画像を表示することができる画像表示媒体である。
【００４９】
電子ペーパー１２はシート状に形成されており、図３に示すように、下基板２４と上基板２６との間に挟まれた光感応性層である光導電層２８、及び遮光層（光吸収層）３０、及び表示層３２を備えている。
【００５０】
本実施形態の下基板２４、及び上基板２６は、厚さが１２５μｍである。
【００５１】
また、光導電層２８は電荷発生層（ＣＧＬ）２８Ａ、電荷輸送層（ＣＴＬ）２８Ｂ、電荷発生層（ＣＧＬ）２８Ｃの各層をこの順に積層して構成される。
【００５２】
下基板２４はＰＥＴフィルムからなり、内面側には、例えばＩＴＯ（酸化インジウム錫）電極３４が形成されている。
【００５３】
同様に、上基板２６もＰＥＴフィルムからなり、内面側には、例えばＩＴＯ（酸化インジウム錫）電極３４が形成されている。
【００５４】
表示層３２は、メモリ性のある表示素子からなる層であり、例えば正の誘電異方性を有するコレステリック液晶３５をマイクロカプセル化したものが含まれている。
（ＩＣカードの構成）
図２に示すように、本実施形態のカード本体１６は、フィルム基板３６、スペーサフィルム３８、及び表面フィルム４０から構成されている。
【００５５】
本実施形態のフィルム基板３６、スペーサフィルム３８、及び表面フィルム４０の材質は、それぞれＰＥＴである。
【００５６】
本実施形態のＩＣカード１０は、表面フィルム４０側から電子ペーパー１２の表示内容を見るため、少なくとも表面フィルム４０は透明である。なお、電子ペーパー１２以外の領域は、印刷等により不透明であっても良い。
【００５７】
また、フィルム基板３６、及びスペーサフィルム３８は透明であっても良く、不透明であっても良い。
【００５８】
スペーサフィルム３８には、電子ペーパー１２を配置するための第１の貫き孔４２と、ＩＤタグ１４を配置するための第２の貫き孔４４が形成されている。
【００５９】
図１に示すように、スペーサフィルム３８は、フィルム基板３６と表面フィルム４０との間に配置され、フィルム基板３６とスペーサフィルム３８とは粘着層４６を介して互いに密着しており、表面フィルム４０とスペーサフィルム３８とは粘着層４８を介して互いに密着している。
【００６０】
フィルム基板３６と表面フィルム４０との間には、第１の貫き孔４２に電子ペーパー１２が配置され、第２の貫き孔４４にＩＤタグ１４が配置されている。
【００６１】
第１の貫き孔４２の孔壁面には、水蒸気進入防止膜５０が設けられており、電子ペーパー１２の端面は水蒸気進入防止膜５０に密着している。
【００６２】
水蒸気進入防止膜５０としては、例えば、水蒸気の透過が０．０２ｇ／ｍ２／ｄａｙ以下となる水蒸気バリア性（水蒸気透過性）を有することが好ましく、０．０１ｇ／ｍ２／ｄａｙ以下となる水蒸気バリア性を有することが更に好ましい。
【００６３】
水蒸気進入防止膜５０としては、例えば、ＳｉＯｘ（ｘ＝１．５〜１．７）或いはＳｉＯＮをスパッタリングで着膜したもの、セラミック層とポリマー層をコンパウンドした真空ポリマー蒸着ＢａｒｉｘＣｏａｔｉｎｇ、金属薄膜等を用いることができる。
【００６４】
本実施形態では、水蒸気進入防止膜５０としてアルミ箔を用いている。
【００６５】
図２に示すように、フィルム基板３６には画像書き込み時に後述する記録部８０に電気的に接続するためのコネクタ部（電極）５１が取り付けられている。
（記録部）
次に、図２８にしたがって、電子ペーパー１２に画像を書き込む記録部８０について説明する。
【００６６】
記録部８０は、図示しない制御部から入力された画像データに応じたパターンの光信号を電子ペーパー１２に露光しながら所定電圧を印加することにより画像を書き込むための装置である。
【００６７】
記録部８０は、駆動制御部８２、電圧印加部８４、光パターン照射部８６を含んで構成されている。
【００６８】
光パターン照射部８６は、パターン生成部８８及び光源部９０を含んで構成されている。
【００６９】
電圧印加部８４は、駆動制御部８２からの指示により、電子ペーパー１２のＩＴＯ電極３４に所定電圧の駆動パルスを印加して画像表示可能状態にする。
【００７０】
電圧印加部８４としては、例えば、ＲＯＭのような波形記憶部とＤＡ変換部とを有し、ＲＯＭから読み出した波形をＤＡ変換して駆動パルスを生成したり、パルス発生回路のような電気回路的な方式でパルスを発生させるように構成できる。
【００７１】
パターン生成部８８は、駆動制御部８２からの指示により、図示しない制御部からの画像データに応じたパターンを生成する。
【００７２】
光源部９０は、パターン生成部８８において生成されたパターンを光のパターンとして電子ペーパー１２に照射する（なお、図１においては図面上側から光を照射する。）
パターン生成部８８としては、例えば、ＴＦＴを用いた液晶ディスプレイ、単純マトリックス型液晶ディスプレイ等の透過型ディスプレイを適用することができる。
【００７３】
光源部９０としては、蛍光ライト、ハロゲンランプ、エレクトロルミネッセンス（ＥＬ）ライト等、電子ペーパー１２に光を照射できるものであれば適用できる。
【００７４】
駆動制御部８２は、図示しない制御部と接続されており、制御部から入力された画像データを表示用の画像データに変換すると共に、電圧印加部８４と光パターン照射部８６とを同期して制御する。
【００７５】
具体的には、駆動制御部８２は、電子ペーパー１２に対する画像の書き込み指示があると、制御部から入力された画像データを表示用の画像データに変換して光パターン照射部８６に出力すると共に、駆動指示信号を電圧印加部８４に出力する。
【００７６】
これにより、光パターン照射部８６から画像データに応じたパターンの光が電子ペーパー１２に照射される。
【００７７】
この状態では画像は記録されないが、この状態で電圧印加部８４によりＩＴＯ電極３４に駆動パルスが供給されると、光導電層２８に、照射された光のパターンに応じたインピーダンス変化が生じ、表示層３２に画像に応じて選択的に電圧が印加される。
【００７８】
これにより、電子ペーパー１２に画像が表示される。
【００７９】
そして、電圧印加及び光の照射を停止した後も画像は保持される。
（作用）
ＩＣカード１０を高湿度の環境下に長期間おいた場合、粘着層４６，４８の端部からＩＣカード１０の内部へ微量ながらも水蒸気が浸入しようとするが、電子ペーパー１２の端部に密着した水蒸気進入防止膜５０が表示層３２への水蒸気の浸入を阻止するので、表示層３２の液晶が水分により劣化することが防止される。
［第２の実施形態］
次に、図５にしたがって、第２の実施形態に係るＩＣカード１０を説明する。なお、第１の実施形態と同一構成には同一符号を付し、その説明は省略する。
【００８０】
図５に示すように、本実施形態のＩＣカード１０では、第１の貫き孔４２の孔壁面に、ＵＶカット機能膜５２が設けられている。
【００８１】
また、フィルム基板３６の内面にもＵＶカット機能膜５４が設けられている。
【００８２】
ＵＶカット機能膜５２は、紫外線を吸収ないし反射し、紫外線の透過を阻止する機能を有する膜である。
【００８３】
ＵＶカット機能膜５２，５４としては、例えば、紫外線吸収剤を含んだポリマーをコーティングしたもの、紫外線が殆ど透過しない合成樹脂等の膜等を上げることが出来る。
【００８４】
ＵＶカット機能膜５２，５４としては、酸化セリウム、酸化チタン、紫外線吸収剤をポリマー（シリコンアクリル樹脂）にブレンドしてコーティング剤にしたアルファコートＵＶ−２（商品名：アルファ化研株式会社製）、ＵＶカット機能を有するセラミック系コーティング剤であるグラスカ（商品名：ＪＳＲ株式会社製）等を用いることができるが、これら以外のものであっても良い。
【００８５】
また、紫外線吸収剤としては、例えば、ベンゾフェノン系紫外線吸収剤、ベンゾトリアゾール系紫外線吸収剤、ベンゾフェニン系紫外線吸収剤、ベンゾエート系紫外線吸収剤、サリシレート系紫外線吸収剤、シアノアクリレート系紫外線吸収剤、シュウ酸アニリド系紫外線吸収剤等を用いることができるが、これら以外のものであっても良い。
（作用）
本実施形態では、電子ペーパー１２の端面側にＵＶカット機能膜５２が密着し、及びフィルム基板３６側にＵＶカット機能膜５４が設けられているので、電子ペーパー１２に対して、端面側、及びフィルム基板３６側からの紫外線の侵入を防止でき、紫外線による表示層３２の液晶の劣化を防止することができる。
【００８６】
これにより、電子ペーパー１２は、初期のコントラストが長期に渡って維持できる。
［第３の実施形態］
次に、図６にしたがって、第３の実施形態に係るＩＣカード１０を説明する。なお、前述した実施形態と同一構成には同一符号を付し、その説明は省略する。
【００８７】
図６に示すように、本実施形態のＩＣカード１０では、表面フィルム４０の表面に透明な水蒸気進入防止膜５６、及びＵＶカット機能膜５８が設けられている。
【００８８】
なお、透明な水蒸気進入防止膜５６としては、上述したＳｉＯｘ（ｘ＝１．５〜１．７）或いはＳｉＯＮをスパッタリングで着膜したもの、或いはＰＥＴよりも水蒸気の透過率の低い合成樹脂フィルム（例えば、ＰＥＴＧ等）を用いることができる。
（作用）
表面フィルム４０はＰＥＴであるが、ＩＣカード１０を高湿度下においた場合には、微量ではあるが水蒸気が透過する場合がある。
【００８９】
本実施形態では、電子ペーパー１２の端面側にアルミ箔の水蒸気進入防止膜５０が密着し、表面フィルム４０の表面側にＵＶカット機能膜５８が設けられているので、電子ペーパー１２に対して、端面側、及び表面フィルム４０側からの紫外線の侵入を防止でき、紫外線による表示層３２の液晶の劣化を防止することができる。
【００９０】
また、表面フィルム４０の表面に水蒸気進入防止膜５６を設けたので、表面フィルム４０を介して電子ペーパー１２へ水蒸気が到達することを防止できる。
［第４の実施形態］
次に、図７にしたがって、第４の実施形態に係るＩＣカード１０を説明する。なお、前述した実施形態と同一構成には同一符号を付し、その説明は省略する。
【００９１】
図７に示すように、本実施形態のＩＣカード１０では、表面フィルム４０に紫外線吸収剤が練りこまれており、表面フィルム４０の表面には透明な水蒸気進入防止膜５６のみが設けられている。
（作用）
本実施形態では、電子ペーパー１２の端面側にアルミ箔の水蒸気進入防止膜５０が密着しており、表面フィルム４０に紫外線吸収剤が練りこまれているので、電子ペーパー１２に対して、端面側、及びフィルム基板３６側からの紫外線の侵入を防止でき、紫外線による表示層３２の液晶の劣化を防止することができる。
【００９２】
また、表面フィルム４０の表面に水蒸気進入防止膜５６を設けたので、第４の実施形態と同様に表面フィルム４０を介して電子ペーパー１２へ水蒸気が到達することを防止できる。
［第５の実施形態］
次に、図８にしたがって、第５の実施形態に係るＩＣカード１０を説明する。なお、前述した実施形態と同一構成には同一符号を付し、その説明は省略する。
【００９３】
図８に示すように、本実施形態のＩＣカード１０は、第３の実施形態のＩＣカード１０の表面より、ＵＶカット機能膜５８を取り除いたものである。
【００９４】
本実施形態は、表面フィルム４０側からの紫外線による液晶の劣化が考えられないような場合に用いることが出来る。
［第６の実施形態］
次に、図９にしたがって、第５の実施形態に係るＩＣカード１０を説明する。なお、前述した実施形態と同一構成には同一符号を付し、その説明は省略する。
【００９５】
図９に示すように、本実施形態のＩＣカード１０は、第３の実施形態のＩＣカード１０より、表面フィルム４０の水蒸気進入防止膜５６を取り除いたものである。
【００９６】
本実施形態は、表面フィルム４０からの水蒸気の浸入が考えられないような場合に用いることが出来る。
［第７の実施形態］
次に、図１０にしたがって、第５の実施形態に係るＩＣカード１０を説明する。なお、前述した実施形態と同一構成には同一符号を付し、その説明は省略する。
【００９７】
図１０に示すように、本実施形態のＩＣカード１０では、第１の貫き孔４２の孔壁面に、ＵＶカット機能膜６０が設けられており、電子ペーパー１２のフィルム基板３６側に水蒸気進入防止膜６２が設けられている。
（作用）
本実施形態では、電子ペーパー１２の端面側にＵＶカット機能膜６０が密着しているので、電子ペーパー１２に対して、端面側からの紫外線の侵入を防止でき、端面側からの紫外線による表示層３２の液晶の劣化を防止することができる。
【００９８】
また、電子ペーパー１２のフィルム基板３６側に水蒸気進入防止膜６２を設けたので、フィルム基板３６を介して電子ペーパー１２へ水蒸気が到達することを防止できる。
［第８の実施形態］
次に、図１１にしたがって、第８の実施形態に係るＩＣカード１０を説明する。なお、前述した実施形態と同一構成には同一符号を付し、その説明は省略する。
【００９９】
図１１に示すように、本実施形態のＩＣカード１０では、表面フィルム４０の表面に透明な水蒸気進入防止膜５６、及びＵＶカット機能膜５８が設けられており、フィルム基板３６の表面に水蒸気進入防止膜６４が設けられている。
（作用）
本実施形態では、電子ペーパー１２の端面側にアルミ箔の水蒸気進入防止膜５０が、表面フィルム４０の表面に水蒸気進入防止膜５６が設けられているので、電子ペーパー１２に対して、端面側、及び表面フィルム４０側からの水蒸気の侵入を防止でき、水蒸気による表示層３２の液晶の劣化を防止することができる。
【０１００】
また、表面フィルム４０の表面側にＵＶカット機能膜５８を設けているので、表面フィルム４０を介して電子ペーパー１２へ紫外線が到達することを防止できる。
［第９の実施形態］
次に、図１２にしたがって、第９の実施形態に係るＩＣカード１０を説明する。なお、前述した実施形態と同一構成には同一符号を付し、その説明は省略する。
【０１０１】
図１２に示すように、本実施形態のＩＣカード１０では、表面フィルム４０の表面に透明な水蒸気進入防止膜５６が設けられており、フィルム基板３６の表面に水蒸気進入防止膜６４が設けられている。
【０１０２】
また、表面フィルム４０に紫外線吸収剤が練りこまれている。
（作用）
本実施形態では、電子ペーパー１２端面側にアルミ箔の水蒸気進入防止膜５０が設けられ、表面フィルム４０に紫外線吸収剤が練りこまれているので、電子ペーパー１２に対して、端面側、及び表面フィルム４０側からの紫外線の侵入を防止でき、紫外線による表示層３２の液晶の劣化を防止することができる。
【０１０３】
また、フィルム基板３６の表面に水蒸気進入防止膜６４を設け、表面フィルム４０の表面に水蒸気進入防止膜５６を設けているので、フィルム基板３６、及び表面フィルム４０を介して電子ペーパー１２へ水蒸気が到達することを防止できる。
［第１０の実施形態］
次に、図１３にしたがって、第１０の実施形態に係るＩＣカード１０を説明する。なお、前述した実施形態と同一構成には同一符号を付し、その説明は省略する。
【０１０４】
本実施形態のＩＣカード１０は、第９の実施形態のＩＣカード１０の表面フィルム４０を、紫外線吸収剤の練り込まれていないものに置き換えたものである。
【０１０５】
本実施形態は、表面フィルム４０からの紫外線の浸入を考慮しなくても良い場合に用いることが出来る。
［第１１の実施形態］
次に、図１４にしたがって、第１１の実施形態に係るＩＣカード１０を説明する。なお、前述した実施形態と同一構成には同一符号を付し、その説明は省略する。
【０１０６】
図１４に示すように、本実施形態のＩＣカード１０では、表面フィルム４０の表面にＵＶカット機能膜５８が設けられており、フィルム基板３６の表面に水蒸気進入防止膜６４が設けられている。
（作用）
本実施形態では、電子ペーパー１２の端面側にアルミ箔の水蒸気進入防止膜５０が、フィルム基板３６の表面に水蒸気進入防止膜６４が設けられているので、電子ペーパー１２に対して、端面側、及びフィルム基板３６側からの水蒸気の侵入を防止でき、水分による表示層３２の液晶の劣化を防止することができる。
【０１０７】
また、表面フィルム４０の表面側にＵＶカット機能膜５８を設けているので、表面フィルム４０を介して電子ペーパー１２へ紫外線が到達することを防止できる。
［第１２の実施形態］
次に、図１５にしたがって、第１２の実施形態に係るＩＣカード１０を説明する。なお、前述した実施形態と同一構成には同一符号を付し、その説明は省略する。
【０１０８】
図１５に示すように、本実施形態のＩＣカード１０では、スペーサフィルム３８の第１の貫き孔４２が、前述した実施形態よりも大きく形成されており、電子ペーパー１２と第１の貫き孔４２の孔壁面との間には、全周に渡って隙間が形成されている。
【０１０９】
また、第１の貫き孔４２は、一部分が突出しており、この突出部分に乾燥剤６６が入れられている。
【０１１０】
乾燥剤６６は、例えば、シリカゲル、ゼオライト、酸化カルシウム、クレイ等を用いることができるが、これら以外のものであっても良い。
【０１１１】
本実施形態のＩＣカード１０では、第１の貫き孔４２で構成される空間に進入してきた水分を乾燥剤６６が吸着し、表示層３２の液晶が水分により劣化することが防止される。
【０１１２】
なお、上記実施形態では、ＩＣカード１０のカード本体１６が、フィルム基板３６、スペーサフィルム３８、及び表面フィルム４０の３部品から構成されていたが、本発明はこれに限らず、前述したフィルム基板３６とスペーサフィルム３８とを一体化させた図１６に示すように凹部付きフィルム基板６８を用いても良い。
【０１１３】
なお、図１６において、符号７０は第１の貫き孔４２に相当する第１の凹部、符号７２は第２の貫き孔４４に相当する第２の凹部７２である。
【０１１４】
図１７乃至図２７には、第１の実施形態乃至第１１の実施形態に係るＩＣカード１０において、フィルム基板３６とスペーサフィルム３８を凹部付きフィルム基板６８に置き換えたものが示されている。
【０１１５】
凹部付きフィルム基板６８を用いたＩＣカード１０は、フィルム基板３６とスペーサフィルム３８を用いたＩＣカード１０に対して部品点数が減るので、製造が簡便になる。
【０１１６】
また、粘着層４６が凹部内にあるの、水蒸気の浸入経路が減る。
【０１１７】
なお、その他の作用は、上述した実施形態と同様である。
［その他の実施形態］
なお、ＩＣカード１０の構成は上記実施形態のものに限らず、本発明の要旨を逸脱しない範囲で種々変更が可能である。
【０１１８】
例えば、水蒸気進入防止膜は、水分による表示層３２の劣化を抑える位置に配置すれば良く、フィルム基板３６、表面フィルム４０、及び凹部付きフィルム基板６８の何れかの面（外面、内面）に設けることが出来る。
【０１１９】
また、フィルム基板３６、表面フィルム４０、及び凹部付きフィルム基板６８に、水蒸気の透過性の低いＰＥＴＧフィルムを貼り付けても良く、フィルム基板３６、表面フィルム４０、及び凹部付きフィルム基板６８の材料をＰＥＴＧとしても良い。
【０１２０】
また、表面フィルム４０に紫外線吸収剤を含むＰＥＴを用いた例を示したが、フィルム基板３６、スペーサフィルム３８、及び凹部付きフィルム基板６８に紫外線吸収剤を含むＰＥＴを用いても良い。
【０１２１】
また、表面フィルム４０、フィルム基板３６、スペーサフィルム３８、及び凹部付きフィルム基板６８の少なくとも１つを紫外線を透過し難い合成樹脂材料（例えば、）で形成しても良い。
【０１２２】
また、水蒸気対策として、電子ペーパー１２の下基板２４と上基板２６に水蒸気進入防止膜をスパッタリングで着膜しても良い。
【０１２３】
【発明の効果】
以上説明したように、本発明の表示機能付きカード、及び表示機能付きＩＣカードによれば、画像表示媒体の耐久性を向上することができる、という優れた効果を有する。
【図面の簡単な説明】
【図１】第１の実施形態に係るＩＣカードの断面図である。
【図２】第１の実施形態に係るＩＣカードのカード本体の分解斜視図である。
【図３】電子ペーパーの構成を示す断面図である。
【図４】ＩＣカードの一部を切り取った平面図である。
【図５】第２の実施形態に係るＩＣカードの断面図である。
【図６】第３の実施形態に係るＩＣカードの断面図である。
【図７】第４の実施形態に係るＩＣカードの断面図である。
【図８】第５の実施形態に係るＩＣカードの断面図である。
【図９】第６の実施形態に係るＩＣカードの断面図である。
【図１０】第７の実施形態に係るＩＣカードの断面図である。
【図１１】第８の実施形態に係るＩＣカードの断面図である。
【図１２】第９の実施形態に係るＩＣカードの断面図である。
【図１３】第１０の実施形態に係るＩＣカードの断面図である。
【図１４】第１１の実施形態に係るＩＣカードの断面図である。
【図１５】第１２の実施形態に係るＩＣカードの断面図である。
【図１６】第１２の実施形態に係るＩＣカードのカード本体の分解斜視図である。
【図１７】更に、他の実施形態に係るＩＣカードのカード本体の分解斜視図である。
【図１８】更に、他の実施形態に係るＩＣカードのカード本体の分解斜視図である。
【図１９】更に、他の実施形態に係るＩＣカードのカード本体の分解斜視図である。
【図２０】更に、他の実施形態に係るＩＣカードのカード本体の分解斜視図である。
【図２１】更に、他の実施形態に係るＩＣカードのカード本体の分解斜視図である。
【図２２】更に、他の実施形態に係るＩＣカードのカード本体の分解斜視図である。
【図２３】更に、他の実施形態に係るＩＣカードのカード本体の分解斜視図である。
【図２４】更に、他の実施形態に係るＩＣカードのカード本体の分解斜視図である。
【図２５】更に、他の実施形態に係るＩＣカードのカード本体の分解斜視図である。
【図２６】更に、他の実施形態に係るＩＣカードのカード本体の分解斜視図である。
【図２７】更に、他の実施形態に係るＩＣカードのカード本体の分解斜視図である。
【図２８】記録部の概略構成を示す図である。
【符号の説明】
１０    ＩＣカード
１２    電子ペーパー
１４    ＩＤタグ
２０    ＩＣチップ
２４    下基板
２６    上基板
２８    光導電層
３２    表示層
３４    ＩＴＯ電極
３６    フィルム基板
３８    スペーサフィルム
４０    表面フィルム
５０    水蒸気進入防止膜
５２    ＵＶカット機能膜
５４    ＵＶカット機能膜
５６    水蒸気進入防止膜
５８    ＵＶカット機能膜
６０    ＵＶカット機能膜
６２    水蒸気進入防止膜
６４    水蒸気進入防止膜
６６    乾燥剤
６８    フィルム基板
７２    凹部
【図１】
2005018348.tif 000003
【図２】
2005018348.tif 000004
【図３】
2005018348.tif 000005
【図４】
2005018348.tif 000006
【図５】
2005018348.tif 000007
【図６】
2005018348.tif 000008
【図７】
2005018348.tif 000009
【図８】
2005018348.tif 000010
【図９】
2005018348.tif 000011
【図１０】
2005018348.tif 000012
【図１１】
2005018348.tif 000013
【図１２】
2005018348.tif 000014
【図１３】
2005018348.tif 000015
【図１４】
2005018348.tif 000016
【図１５】
2005018348.tif 000017
【図１６】
2005018348.tif 000018
【図１７】
2005018348.tif 000019
【図１８】
2005018348.tif 000020
【図１９】
2005018348.tif 000021
【図２０】
2005018348.tif 000022
【図２１】
2005018348.tif 000023
【図２２】
2005018348.tif 000024
【図２３】
2005018348.tif 000025
【図２４】
2005018348.tif 000026
【図２５】
2005018348.tif 000027
【図２６】
2005018348.tif 000028
【図２７】
2005018348.tif 000029
【図２８】
2005018348.tif 000030